(57)【要約】【課題】家計簿データベースへの登録を支援する家計簿登録支援システムに係り、簡単な操作による家計簿登録を実現し、更に個人情報の漏洩のおそれが無い家計簿登録支援システムを提供することを課題とする。【解決手段】クライアント端末側２で、レシートに印刷されたバーコードを読み取り、購入ＩＤ抽出部２２により抽出した購入ＩＤを付して、家計簿登録支援サーバ１へ購入情報を要求する。家計簿登録支援サーバ１側は、売上データベース６にアクセスし、購入ＩＤに対応する購入情報を特定し、返信する。クライアント端末２は、購入情報を受信し、家計簿データベース２６に登録する。【選択図】        図２
2004227364.tif 000002
【特許請求の範囲】
【請求項１】
インターネットを介して接続可能なクライアント端末と家計簿登録支援サーバからなる家計簿登録支援システムであって、
クライアント端末は、
（１）レシートに印刷されたバーコードを読み取るバーコード読み取り部と、
（２）読み取ったバーコードから購入ＩＤを抽出する購入ＩＤ抽出部と、
（３）購入ＩＤを付して購入情報の要求を家計簿登録支援サーバに送信する購入情報要求送信部とを有し、
家計簿登録支援サーバは、
（４）購入ＩＤが付された購入情報の要求を受信する購入情報要求受信部と、
（５）受信した購入ＩＤに対応する購入情報を特定する購入情報特定部と、
（６）特定した購入情報をクライアント端末に返信する購入情報返信部とを有し、
クライアント端末は、更に、
（７）家計簿登録支援サーバから購入情報を受信する購入情報受信部と、
（８）受信した購入情報を家計簿データベースに登録する家計簿登録部とを有することを特徴とする家計簿登録支援システム。
【請求項２】
家計簿登録支援システムを構成するクライアント端末であって、以下の要素を有することを特徴とするクライアント端末
（１）レシートに印刷されたバーコードを読み取るバーコード読み取り部
（２）読み取ったバーコードから購入ＩＤを抽出する購入ＩＤ抽出部
（３）購入ＩＤを付して購入情報の要求を家計簿登録支援サーバに送信する購入情報要求送信部
（４）家計簿登録支援サーバから購入情報を受信する購入情報受信部
（５）受信した購入情報を家計簿データベースに登録する家計簿登録部。
【請求項３】
家計簿登録支援システムを構成する家計簿登録支援サーバであって、以下の要素を有することを特徴とする家計簿登録支援サーバ
（１）クライアント端末から、購入ＩＤが付された購入情報の要求を受信する購入情報要求受信部
（２）受信した購入ＩＤに対応する購入情報を特定する購入情報特定部
（３）特定した購入情報をクライアント端末に返信する購入情報返信部。
【請求項４】
家計簿登録支援システムを構成するクライアント端末であって、以下の要素を有することを特徴とするクライアント端末となるコンピュータに、以下の手順を実行させるためのプログラム
（１）レシートに印刷されたバーコードを読み取る手順
（２）読み取ったバーコードから購入ＩＤを抽出する手順
（３）購入ＩＤを付して購入情報の要求を家計簿登録支援サーバに送信する手順
（４）家計簿登録支援サーバから購入情報を受信する手順
（５）受信した購入情報を家計簿データベースに登録する手順。
【請求項５】
家計簿登録支援システムを構成する家計簿登録支援サーバであって、以下の要素を有することを特徴とする家計簿登録支援サーバとなるコンピュータに、以下の手順を実行させるためのプログラム
（１）クライアント端末から、購入ＩＤが付された購入情報の要求を受信する手順
（２）受信した購入ＩＤに対応する購入情報を特定する手順
（３）特定した購入情報をクライアント端末に返信する手順。
【請求項６】
インターネットを介して接続可能なクライアント端末と家計簿登録支援サーバからなる家計簿登録支援システムであって、
クライアント端末は、
（１）購入ＩＤを付して購入情報の要求を家計簿登録支援サーバに送信する購入情報要求送信部を有し、
家計簿登録支援サーバは、
（２）購入ＩＤが付された購入情報の要求を受信する購入情報要求受信部と、
（３）受信した購入ＩＤに対応する購入情報を特定する購入情報特定部と、
（４）特定した購入情報をクライアント端末に返信する購入情報返信部とを有し、
クライアント端末は、更に、
（５）家計簿登録支援サーバから購入情報を受信する購入情報受信部と、
（６）受信した購入情報を家計簿データベースに登録する家計簿登録部とを有することを特徴とする家計簿登録支援システム。
【発明の詳細な説明】
【０００１】
【発明の属する技術分野】
本発明は、家計簿データベースへの登録を支援する家計簿登録支援システムに係り、簡単な操作による家計簿登録を実現し、更に個人情報の漏洩のおそれが無い家計簿登録支援システムに関する。
【０００２】
【従来の技術】
従来から、特開２００２−２４６７９号の「商品購入情報提供システム」のように、ネットワークを介して商品購入情報を提供するシステムが知られている。そして、提供される商品購入情報を顧客側で取り込むことにより家計簿登録の労を軽減されることが期待されている。
【０００３】
しかし、このようなシステムでは、顧客識別情報に対応付けて商品購入情報を管理するため、顧客のプライバシーを守れないという問題があった。例えば、他人が成りすまして、商品購入情報を取り出すなどの悪用が想定される。
【０００４】
【特許文献１】
特開２００２−２４６７９号公報
【０００５】
【発明が解決しようとする課題】
本発明は、上記した従来技術の欠点を除くためになされたものであって、その目的とするところは、簡単な操作による家計簿登録を実現し、更に個人情報の漏洩のおそれが無い家計簿登録支援システムを提供することを課題とする。
【０００６】
【課題を解決するための手段】
本発明に係る家計簿登録支援システムは、
インターネットを介して接続可能なクライアント端末と家計簿登録支援サーバからなる家計簿登録支援システムであって、
クライアント端末は、
（１）レシートに印刷されたバーコードを読み取るバーコード読み取り部と、
（２）読み取ったバーコードから購入ＩＤを抽出する購入ＩＤ抽出部と、
（３）購入ＩＤを付して購入情報の要求を家計簿登録支援サーバに送信する購入情報要求送信部とを有し、
家計簿登録支援サーバは、
（４）購入ＩＤが付された購入情報の要求を受信する購入情報要求受信部と、
（５）受信した購入ＩＤに対応する購入情報を特定する購入情報特定部と、
（６）特定した購入情報をクライアント端末に返信する購入情報返信部とを有し、
クライアント端末は、更に、
（７）家計簿登録支援サーバから購入情報を受信する購入情報受信部と、
（８）受信した購入情報を家計簿データベースに登録する家計簿登録部とを有することを特徴とする。
【０００７】
本発明に係るクライアント端末は、
家計簿登録支援システムを構成するクライアント端末であって、以下の要素を有することを特徴とする
（１）レシートに印刷されたバーコードを読み取るバーコード読み取り部
（２）読み取ったバーコードから購入ＩＤを抽出する購入ＩＤ抽出部
（３）購入ＩＤを付して購入情報の要求を家計簿登録支援サーバに送信する購入情報要求送信部
（４）家計簿登録支援サーバから購入情報を受信する購入情報受信部
（５）受信した購入情報を家計簿データベースに登録する家計簿登録部。
【０００８】
本発明に係る家計簿登録支援サーバは、
家計簿登録支援システムを構成する家計簿登録支援サーバであって、以下の要素を有することを特徴とする
（１）クライアント端末から、購入ＩＤが付された購入情報の要求を受信する購入情報要求受信部
（２）受信した購入ＩＤに対応する購入情報を特定する購入情報特定部
（３）特定した購入情報をクライアント端末に返信する購入情報返信部。
【０００９】
本発明に係るプログラムは、
家計簿登録支援システムを構成するクライアント端末であって、以下の要素を有することを特徴とするクライアント端末となるコンピュータに、以下の手順を実行させるためのプログラムであることを特徴とする
（１）レシートに印刷されたバーコードを読み取る手順
（２）読み取ったバーコードから購入ＩＤを抽出する手順
（３）購入ＩＤを付して購入情報の要求を家計簿登録支援サーバに送信する手順
（４）家計簿登録支援サーバから購入情報を受信する手順
（５）受信した購入情報を家計簿データベースに登録する手順。
【００１０】
本発明に係るプログラムは、
家計簿登録支援システムを構成する家計簿登録支援サーバであって、以下の要素を有することを特徴とする家計簿登録支援サーバとなるコンピュータに、以下の手順を実行させるためのプログラムであることを特徴とする
（１）クライアント端末から、購入ＩＤが付された購入情報の要求を受信する手順
（２）受信した購入ＩＤに対応する購入情報を特定する手順
（３）特定した購入情報をクライアント端末に返信する手順。
【００１１】
本発明に係る家計簿登録支援システムは、
インターネットを介して接続可能なクライアント端末と家計簿登録支援サーバからなる家計簿登録支援システムであって、
クライアント端末は、
（１）購入ＩＤを付して購入情報の要求を家計簿登録支援サーバに送信する購入情報要求送信部を有し、
家計簿登録支援サーバは、
（２）購入ＩＤが付された購入情報の要求を受信する購入情報要求受信部と、
（３）受信した購入ＩＤに対応する購入情報を特定する購入情報特定部と、
（４）特定した購入情報をクライアント端末に返信する購入情報返信部とを有し、
クライアント端末は、更に、
（５）家計簿登録支援サーバから購入情報を受信する購入情報受信部と、
（６）受信した購入情報を家計簿データベースに登録する家計簿登録部とを有することを特徴とする。
【００１２】
【発明の実施の形態】
実施の形態１．
以下本発明を図面に示す実施例に基づいて説明する。本発明に係る家計簿登録支援システムを利用することにより、消費者は、購入時に受け取ったレシートに印刷されたバーコードをクライアント端末に読み込ませるだけで、家計簿を自動的に登録（記帳）することができる。その際に、個人を識別する情報が、一切外部に流出しない点に特徴がある。
【００１３】
図１は、家計簿登録支援システムの概要を示す図である。家計簿登録支援システムは、家計簿登録支援サーバ１とクライアント端末２により構成されており、家計簿登録支援サーバ１とクライアント端末２は、インターネット５を介して接続可能なように構成されている。クライアント端末２は、ＰＣのほか、携帯電話などいずれの端末であっても構わない。クライアント端末２は、内部に家計簿データベース７を有し、消費者自身の家計簿情報を管理している。
【００１４】
ＰＯＳ端末３は、売上の際に、個々の売上単位を識別可能なバーコード（売上ＩＤ＝購入ＩＤを含むバーコード）を印刷したレシートを発行する。
売上データベース６は、ＰＯＳ端末３から売上ＩＤに対応付けて売上情報を取得し、記憶するように構成されている。この例では、売上データベース６が家計簿登録支援サーバ１に付属する例を示したが、ネットワーク４に接続されるなど、他の位置に設置されていても構わない。尚、売上情報には、売上日時（＝購入日時）、売上品目（＝購入品目）、品目分類（例えば、食料品、衣類などの別）、売上数量（＝購入数量）、売上金額（＝購入金額）などが含まれている。
【００１５】
続いて、家計簿登録支援システムの構成について説明する。図２は、家計簿登録支援システムの構成を示す図である。
クライアント端末２は、バーコード読み取り処理を行うバーコード読み取り部２１、購入ＩＤ抽出処理を行う購入ＩＤ抽出部２２、購入情報要求送信処理を行う購入情報要求送信部２３、購入情報受信処理を行う購入情報受信部２４、家計簿登録処理を行う家計簿登録部２５、及び家計簿情報（購入情報を含む）を管理する家計簿データベース７から構成されている。
【００１６】
家計簿登録支援サーバ１は、購入情報要求受信処理を行う購入情報要求受信部１１、購入情報特定処理を行う購入情報特定部１２、及び購入情報返信処理を行う購入情報返信部１３から構成されている。
【００１７】
次に、家計簿登録支援システムの動作について説明する。バーコード読み取り部２１は、レシートに印刷されたバーコードを読み取り、購入ＩＤ抽出部２２は、読み取ったバーコードから購入ＩＤを抽出する。そして、クライアント端末２は、購入情報要求送信部２３からインターネット５を介して、家計簿登録支援サーバ１に購入情報の要求を送信する。このとき、併せて購入ＩＤを送信する。
【００１８】
家計簿登録支援サーバ１側では、購入情報要求受信部１１により、購入ＩＤが付された購入情報の要求を受信し、購入情報特定部１２により、受信した購入ＩＤに対応する購入情報を特定する。具体的には、売上データベース６から、購入ＩＤに対応する購入情報を取得する。そして、購入情報返信部１３は、特定した購入情報（例えば、購入日時、購入品目、品目分類、購入数量、購入金額など）を、インターネット５を介してクライアント端末２に返信する。
【００１９】
クライアント端末２側は、購入情報受信部２４により、家計簿登録支援サーバ１から購入情報を受信し、家計簿登録部２５は、受信した購入情報を家計簿データベース７に登録する。
【００２０】
家計簿登録支援サーバ１とクライアント端末２は、コンピュータであり、各要素はプログラムにより処理を実行することができる。また、プログラムを記憶媒体に記憶させ、記憶媒体からコンピュータに読み取られるようにすることができる。
【００２１】
実施の形態２．
以下本実施の形態を図面に基づいて、説明する。本実施の形態で特徴的なことは、ＰＯＳ端末３で個々の商品の売上を受付けたとき、その売上情報を携帯端末８にコード（２次元コード）として、転送することである。またクライアント端末２で携帯端末８に記憶されたコードを読み取ることで、購入情報を家計簿データベース７に登録することができる点である。売上情報は、実施の形態１で上述したとおり、売上ＩＤ（＝購入ＩＤ）、売上日時（＝購入日時）、売上品目（＝購入品目）、品目分類（例えば、食料品、衣類などの別）、売上数量（＝購入数量）、売上金額（＝購入金額）などである。また、携帯端末８は、例えば携帯電話、ＰＤＡ（Ｐｅｒｓｏｎａｌ  Ｄｉｇｉｔａｌ  Ａｓｓｉｓｔａｎｃｅ）などである。
ＰＯＳ端末３から携帯端末８へのコードの転送及びクライアント端末２での携帯端末８からの読み取りは、赤外線やＢｌｕｅｔｏｏｔｈ等の無線通信技術を用いて構成することができる。
【００２２】
図３は、本実施の形態における家計簿登録支援システムの概要を示す図である。図３において、ＰＯＳ端末３は売上を受付けたとき、その売上情報を消費者所有の携帯端末８にコードとして転送する。このコードは、消費者が１回の買い物で購入した１又は複数の商品の売上情報を特定するものであり、１つのコードは、売上データベース６に記憶された１又は複数の売上ＩＤ（＝購入ＩＤ）と対応することになる。コード作成は、ＰＯＳ端末３のコード作成部（図示せず）が、１回の買い物に対応する売上情報を特定するコードを作成し、携帯端末８に転送する。
【００２３】
図４は、本実施の形態における家計簿登録支援システムの構成図である。クライアント端末２は、携帯端末８に記憶されたコードの読み取り処理を行う二次元コード読み取り部３１を備え、二次元コード読み取り部３１は、コードを読み取り、購入ＩＤ抽出部２２は特定されたコードから１又は複数の購入ＩＤを抽出する。それ以降の処理については、実施の形態１で図２を用いて説明したとおりであり、購入ＩＤが複数あるときは、複数回その処理が繰り返される。
【００２４】
以上説明したように、本実施の形態によると、消費者の購入情報を携帯端末８にコード（２次元コード）として、転送することができる。消費者は、その購入情報をクライアント端末２に読み込ませることにより、家計簿データベース７に購入情報を入力することができる。また、本実施の形態では、１回の買い物に対応する売上情報を１つのコードとして作成され、携帯端末８に転送されるため、クライアント端末２では１つのコードを読み込むことで、１回の買い物の購入情報を入力することができる。
また、１商品の売上に対して１つのコード（売上ＩＤ）が付与されるように構成することも可能である。このときコードは、実施の形態１のバーコードと同様に扱われる。
さらに、携帯端末８の記憶容量により、複数回の買い物で転送された複数のコードを蓄積しておくことも可能であり、そのときは複数回の購入情報をまとめて家計簿データベース７に入力することができる。
【００２５】
【発明の効果】
消費者は、購入時に受け取ったレシートに印刷されたバーコードをクライアント端末に読み込ませるだけで、家計簿を自動的に登録（記帳）することができる。その際に、個人を識別する情報が外部に流出せず、個人情報の漏洩のおそれが無い点にも特徴がある。
【図面の簡単な説明】
【図１】家計簿登録支援システムの概要を示す図である。
【図２】家計簿登録支援システムの構成を示す図である。
【図３】家計簿登録支援システムの概要を示す図である。
【図４】家計簿登録支援システムの構成を示す図である。
【符号の説明】
１  家計簿登録支援サーバ、２  クライアント端末、３  ＰＯＳ端末、４  ネットワーク、５  インターネット、６  売上データベース、７  家計簿データベース、１１  購入情報要求受信部、１２  購入情報特定部、１３  購入情報返信部、２１  バーコード読み取り部、２２  購入ＩＤ抽出部、２３  購入情報要求送信部、２４  購入情報受信部、２５  家計簿登録部、２６  家計簿データベース。
【図１】
2004227364.tif 000003
【図２】
2004227364.tif 000004
【図３】
2004227364.tif 000005
【図４】
2004227364.tif 000006